(57)【要約】      （修正有）【課題】配線作業の作業性および組立作業の作業性を向上し得る直列ユニットを提供すること。【解決手段】略円筒状の出力端子収納部、および球状またはフランジ型の軸受けである回動接栓組み付け部を有するユニット筐体１２１と、一方の端面にユニット筐体の回動接栓組み付け部に固定される取付部を、また他の端面に回動端子収納部を有する回動接栓筐体２０１と、内部に同軸接栓の中心導体および回路基板が組み込まれ、出力端子収納部に収納される出力端子モジュール１２２，１２３と、内部中央に芯線を保持して回動端子収納部に収納される回動端子モジュール２０４，２０５と、回動接栓組み付け部の回動接栓筐体との対向部に配される緩衝部材２０７と、前記回動接栓筐体の前記取付部の背後に配され、前記ユニット筐体のかしめ部により前記ユニット筐体の回動接栓組み付け部に固定される割型ワッシャ２０６とを備えた直列ユニット。【選択図】図６
2015099685.tif 000002
【特許請求の範囲】
【請求項１】
建物内等でＴＶ信号幹線から出力端子に信号を分岐、分配する直列ユニットにおいて、
略円筒状の内部空間を持った出力端子収納部、およびフランジ受け構造であって前記出力端子収納部に対して略直角方向を向き端面にかしめ部を持った回動接栓組み付け部を有するユニット筐体と、
エルボ形状をなし、一方の端面にフランジ部を持ち前記ユニット筐体の前記回動接栓組み付け部に取り付けられる取付部を有するとともに、他の端面に回動端子収納部を有し、前記ユニット筐体に固定される回動接栓筐体と、
略円筒形であって内部に同軸接栓の端子および回路基板が組み込まれ、前記出力端子収納部に収納される出力端子モジュールと、
芯線を中央に保持して前記回動接栓筐体の前記取付部に組み込まれる芯線モジュールと、
略円筒形であって内部中央に芯線を保持して前記回動接栓筐体の前記回動端子収納部に収納される回動端子モジュールと、
前記ユニット筐体の前記回動接栓組み付け部における前記回動接栓筐体との対向部に配される緩衝部材と、
前記回動接栓筐体の前記取付部の背後に配され、前記ユニット筐体の前記かしめ部をかしめることにより前記ユニット筐体の前記回動接栓組み付け部に固定される割型ワッシャと
を備えたことを特徴とする直列ユニット。
【請求項２】
請求項1に記載の直列ユニットにおいて、
前記出力端子モジュールには、前記芯線モジュール内の芯線が嵌入される受け部材が設けられることを特徴とする直列ユニット。
【請求項３】
請求項1に記載の直列ユニットにおいて、
前記回動端子モジュールには、前記芯線モジュール内の芯線が嵌入される受け部材が設けられることを特徴とする直列ユニット。
【請求項４】
建物内等でＴＶ信号幹線から出力端子に信号を分岐、分配する直列ユニットにおいて、
略円筒状の出力端子収納部、および球状軸受けであって前記出力端子収納部に対して略直角方向を向き端面にかしめ部を持った回動接栓組み付け部を有するユニット筐体と、
エルボ形状をなし、一方の端面に、球状構造を持ち前記ユニット筐体の前記回動接栓組み付け部に固定される取付部を、また他の端面に、回動端子収納部を有する回動接栓筐体と、
略円筒形であって内部に同軸接栓の中心導体および回路基板が組み込まれ、前記出力端子収納部に収納される出力端子モジュールと、
略円筒形であって内部中央に芯線を保持して前記回動接栓筐体の前記回動端子収納部に収納される回動端子モジュールと、
前記ユニット筐体の前記回動接栓組み付け部における前記回動接栓筐体との対向部に配される緩衝部材と、
前記回動接栓筐体の前記取付部の背後に配され、前記ユニット筐体の前記かしめ部をかしめることにより前記ユニット筐体の前記回動接栓組み付け部に固定される割型ワッシャと
を備えたことを特徴とする直列ユニット。
【請求項５】
建物内等でＴＶ信号幹線から出力端子に信号を分岐、分配する直列ユニットにおいて、
出力端子収納部、および球状軸受けであって前記出力端子収納部に対して略直角方向を向き端面にかしめ部を持った回動接栓組み付け部を有するユニット筐体と、
一方の端面に、球状構造を持ち前記ユニット筐体の前記回動接栓組み付け部に固定される取付部を、また他の端面に、回動端子収納部を有する回動接栓筐体と、
略円筒形であって内部に同軸接栓の中心導体および回路基板が組み込まれ、前記出力端子収納部に収納される出力端子モジュールと、
略円筒形であって内部中央に芯線を保持して前記回動接栓筐体の前記回動端子収納部に収納される回動端子モジュールと、
前記ユニット筐体の前記回動接栓組み付け部における前記回動接栓筐体との対向部に配される緩衝部材と、
前記回動接栓筐体の前記取付部の背後に配され、前記ユニット筐体の前記かしめ部をかしめることにより前記ユニット筐体の前記回動接栓組み付け部に固定される割型ワッシャと
を備えたことを特徴とする直列ユニット。
【発明の詳細な説明】
【技術分野】
【０００１】
本発明は、ＴＶ信号受信に用いられる直列ユニットに係り、とくに設置時に同軸ケーブル接続作業の作業性を改善し得るものに関する。
【背景技術】
【０００２】
例えば集合住宅のＴＶ受信用設備には、直列ユニットが設けられる。これは、アンテナ等からの信号を各フロア、各部屋に分配するために使用され、中継用ユニットは入力端子と出力端子、およびＴＶ端子と呼ばれる機器接続用端子とをそなえ、終端用ユニットはＴＶ端子のみで出力端子を有しない。
【０００３】
以下、直列ユニットにおける入力端子以外の端子、つまりＴＶ端子および出力端子を代表して出力端子と呼ぶ。
【０００４】
図１１は、従来の直列ユニットの一例を分解して示したものであり、この直列ユニットは、入力端子ＩＮが本体に対して回動可能に構成されている。すなわち、パネル１１の背後に配される本体１２に入力端子ＩＮを有する回動シェル２１を組み合わせており、回動シェル２１はパネル１１に対して直角の垂直面内で回動可能に支持されている。
【０００５】
本体１２は、本体シェル１２ａに設けられた出力端子収納部１２ｂ内にＴＶ端子要素１２ｃが組み込まれて出力端子ＯＵＴを形成するとともに、入力端子要素２２が組み込まれた回動シェル２１は、本体シェル１２ａの図示手前側面に、芯線保持部材２３、入力端子２２とＴＶ端子１２ｃとを接続する芯線２４、波型ワッシャ２５および抜け止め部材２６とともに回動可能状態に取り付けられる。
【０００６】
そして、本体１２には、回路基板１２ｄが組み込まれて接続のための半田付けが行われた後、蓋１２ｅが圧入される。
【０００７】
このように構成された直列ユニットを壁面等の取付対象に設置するには、同軸ケーブルを接続した直列ユニットの筐体を、壁面等に設けられた設置個所に埋め込む形を取る。この際、屈曲し難い同軸ケーブルをあまり変形させなくても設置できる必要があり、入力端子ＩＮおよび必要に応じて出力端子を筐体に対し回動可能として同軸ケーブルをさほど屈曲せずに、端子に同軸ケーブルを繋ぎ込むようにしている(特許文献１−３参照）。
【先行技術文献】
【特許文献】
【０００８】
【特許文献１】特許４０４７６４１号公報
【特許文献２】特許４２３５０５４号公報
【特許文献３】特許４２３５０５５号公報
【発明の開示】
【発明が解決しようとする課題】
【０００９】
ここにおいて、直列ユニットは小型の機器であり、その組立には細かな手作業を要し、熟練を必要とする。とくに、ＴＶ端子１２ｃと回路基板１２ｄとの半田付け等の作業は、組み付け後に行う点で煩雑である、このため、直列ユニットの生産性は必ずしも高いものではない。
【００１０】
本発明は上述の点を考慮してなされたもので、配線作業の作業性および組立作業の作業性を向上し得る直列ユニットを提供することを目的とする。
【課題を解決するための手段】
【００１１】
上記目的達成のため、本発明では、次のような直列ユニットを提供する。
【００１２】
第１の発明としては、
建物内等でＴＶ信号幹線から出力端子に信号を分岐、分配する直列ユニットにおいて、
略円筒状の内部空間を持った出力端子収納部、およびフランジ受け構造であって前記出力端子収納部に対して略直角方向を向き端面にかしめ部を持った回動接栓組み付け部を有するユニット筐体と、
エルボ形状をなし、一方の端面にフランジ部を持ち前記ユニット筐体の前記回動接栓組み付け部に取り付けられる取付部を有するとともに、他の端面に回動端子収納部を有し、前記ユニット筐体に固定される回動接栓筐体と、
略円筒形であって内部に同軸接栓の端子および回路基板が組み込まれ、前記出力端子収納部に収納される出力端子モジュールと、
芯線を中央に保持して前記回動接栓筐体の取付部に組み込まれる芯線モジュールと、
略円筒形であって内部中央に芯線を保持して前記回動接栓筐体の回動端子収納部に収納される回動端子モジュールと、
前記ユニット筐体の回動接栓組み付け部における前記回動接栓筐体との対向部に配される緩衝部材と、
前記回動接栓筐体の前記取付部の背後に配され、前記ユニット筐体のかしめ部をかしめることにより前記ユニット筐体の回動接栓組み付け部に固定される割型ワッシャと
を備えたことを特徴とする直列ユニット、
第２の発明としては、
建物内等でＴＶ信号幹線から出力端子に信号を分岐、分配する直列ユニットにおいて、
略円筒状の出力端子収納部、および球状軸受けであって前記出力端子収納部に対して略直角方向を向き端面にかしめ部を持った回動接栓組み付け部を有するユニット筐体と、
エルボ形状をなし、一方の端面に、球状構造を持ち前記ユニット筐体の前記回動接栓組み付け部に固定される取付部を、また他の端面に、回動端子収納部を有する回動接栓筐体と、
略円筒形であって内部に同軸接栓の中心導体および回路基板が組み込まれ、前記出力端子収納部に収納される出力端子モジュールと、
略円筒形であって内部中央に芯線を保持して前記回動接栓筐体の前記回動端子収納部に収納される回動端子モジュールと、
前記ユニット筐体の前記回動接栓組み付け部における前記回動接栓筐体との対向部に配される緩衝部材と、
前記回動接栓筐体の前記取付部の背後に配され、前記ユニット筐体の前記かしめ部をかしめることにより前記ユニット筐体の前記回動接栓組み付け部に固定される割型ワッシャと
を備えたことを特徴とする直列ユニット、
第３の発明としては、
建物内等でＴＶ信号幹線から出力端子に信号を分岐、分配する直列ユニットにおいて、
出力端子収納部、および球状軸受けであって前記出力端子収納部に対して略直角方向を向き端面にかしめ部を持った回動接栓組み付け部を有するユニット筐体と、
一方の端面に、球状構造を持ち前記ユニット筐体の前記回動接栓組み付け部に固定される取付部を、また他の端面に、回動端子収納部を有する回動接栓筐体と、
略円筒形であって内部に同軸接栓の中心導体および回路基板が組み込まれ、前記出力端子収納部に収納される出力端子モジュールと、
略円筒形であって内部中央に芯線を保持して前記回動接栓筐体の前記回動端子収納部に収納される回動端子モジュールと、
前記ユニット筐体の前記回動接栓組み付け部における前記回動接栓筐体との対向部に配される緩衝部材と、
前記回動接栓筐体の前記取付部の背後に配され、前記ユニット筐体の前記かしめ部をかしめることにより前記ユニット筐体の前記回動接栓組み付け部に固定される割型ワッシャと
を備えたことを特徴とする直列ユニット、
である。
【発明の効果】
【００１３】
本発明は上述のように、出力端子を収納するユニット筐体に、出力端子と直角方向を向いた回動接栓組み付け部を設け、この回動接栓組み付け部に割型ワッシャを介してかしめることにより回動端子を組み付けたため、回動端子付きの直接ユニットの組み立て作業を簡単化することができる。この直列ユニットを用いれば、配線作業の際には回動端子を回動させて同軸ケーブルの接続作業を行うことができ、配線時の作業性が良好な直列ユニットを提供することができる。また、ユニット内の同軸線路を構成する要素をモジュール化して組立を容易化したため、組立の作業性が良好な直列ユニットを提供することができる。
【図面の簡単な説明】
【００１４】
【図１】本発明の一実施例の構成を示す説明図であり、図１(a)は正面側から見た斜視図、図1(b)は背面側から見た斜視図。
【図２】図２(a)は、図1に示した実施例の正面図、図２(b)は同実施例の右側面図。
【図３】図３は、図２(b)におけるＡ-Ａ断面を示す断面図。
【図４】図４は、図２(b)におけるＢ−Ｂ断面を示す断面図。
【図５】図５は、図２(a)におけるＣ−Ｃ断面を示す断面図。
【図６】図６は、本発明の一実施例に用いる各要素を示す分解斜視図。
【図７】本発明の一実施例に用いる出力端子モジュールを示す図で、図７(a)は展開上面図、図７(b)は正面図、図７(c)は側面図。
【図８】図７における出力端子モジュールに組み込まれる基板の構造を示す図で、図８(a)は平面図、図８(b)は正面図。
【図９】本発明の、立体回転型の他の実施例を示す斜視断面図。
【図１０】本発明の、立体回転型の更に他の実施例を示す斜視断面図。
【図１１】従来の直列ユニットの構造を示す分解説明図。
【発明を実施するための形態】
【００１５】
以下、添付図面を参照して本発明の実施の形態を説明する。
【実施例１】
【００１６】
図１(a)，(b)は、本発明の一実施例の外観を示したもので、図１(a)は正面側から見た斜視図、図１(b)は図１(a)と丁度反対の背面側から見た斜視図である。
【００１７】
直列ユニットは、建物の壁面等に本体１００が取り付けられ、壁内を通された同軸ケーブル（図示せず）が入力端子ＩＮに繋ぎ込まれることにより、パネル１１０の中央に設けられた出力端子１２０（ＯＵＴ）にＴＶ信号等を供給するものである。本体１００は、化粧パネル１０（想像線図示）の背後に配される。
【００１８】
そして、エルボ２００に取り付けられた入力端子ＩＮは、図１(a)に示すように、本体１００の正面から見て図示右側部にパネル１１０と直角の垂直面内で回動し得るように、エルボ２００の一端に設けられたフランジ型回動機構によって回動自在に支持されている。
【００１９】
したがって、建物の壁内を通した同軸ケーブルが、図１(b)における上下、または右背後方向から引き込まれても容易に接続することができる。
【００２０】
図２(a)，(b)は、本体１００およびエルボ２００の内部構造を示すために用いる３つの断面図、つまり図３ないし図５の断面位置を示すもので、図２(a)はパネル１００を正面から見た図で１つの断面位置Ｃ−Ｃを示し、図２(b)はパネル１００を側面から見た図で２つの断面位置Ａ−Ａ，Ｂ−Ｂを示している。
【００２１】
図３は、図２(b)のＡ−Ａ線に沿う断面を示している。この断面は、パネル１００を横断方向に切断して上から見たものであり、本体１００の出力端子ＯＵＴおよびその周辺要素を示している。
【００２２】
図示下側にある出力端子ＯＵＴの開口に向かって図示上下方向を向くように配された中心導体１２３は、ケース１２２内の中心位置に保持されている。そして、中心導体１２３の図示上端が回路基板１２７に接続されていて、回路基板１２７の上端近くにある受け部材１２８には、芯線２１０の先端（図示左端）が差し込まれ接続されている。
【００２３】
また、図示左右方向に延びる芯線２１０は、エルボ２００内に保持された芯線ホルダ２２０の中心位置に保持されて図示右端がエルボ２００内に組み込まれた入力端子の中心導体２０５に接続される。この中心導体２０５は、ケース２０４の中心位置に保持されて、紙面に直角方向に延びている。
【００２４】
この構成により、入力端子ＩＮの中心導体２０５は、芯線２１０および回路基板１２７により出力端子ＯＵＴの中心導体１２３に接続されている。そして、入力端子ＩＮは、エルボ２００が回動しても出力端子ＯＵＴに対して接続された状態を維持する。
【００２５】
図４は、図２(b)のＢ−Ｂ線に沿う断面を示している。この断面は、パネル１００を縦方向に切断し背後方向から見たものであり、本体１００の出力端子ＯＵＴおよびその周辺要素を示している。
【００２６】
この図４では、図３では見えなかったエルボ２００の内部構造、つまり入力端子ＩＮの中心導体２０５を長手方向の全体につき示している。
【００２７】
また図３との関係で云えば、芯線２１０の図示左端部が中心導体２０５の上端に差し込まれて接続している。この中心導体２０５は、ケース２０４の中心位置に保持されている。
【００２８】
これにより入力端子ＩＮの中心導体２０５は、芯線２１０、および図４では端部だけ見える回路基板１２７を経て、出力端子ＯＵＴの中心導体（図示せず）に接続された状態となる。
【００２９】
エルボ２００は、芯線２１０を中心にして紙面と直角の面内で回動するが、入力端子ＩＮから出力端子ＯＵＴへの接続状態は、回動いかんに拘らず常に維持されている。
【００３０】
図５は、図２(a)のＣ−Ｃ線に沿って切断し左側から見た断面を示している。この図５は、図３と同様に出力端子ＯＵＴの中心導体１２３を長手方向に全体的に示すものであるが、回路基板１２７との接続関係が明確になるように、中心導体１２３の軸を中心に９０°異なる位置で示している。この図から分るように、中心導体１２３の図示左端が回路基板１２７の右端にあるスリットに挿入されて半田付けにより接続される。
【００３１】
したがって、芯線２１０が回路基板１２７の図示左端寄り位置で紙面に直角方向を向くように配され、図５ではその先端が見えている。
【００３２】
図６は、図１ないし図５により説明した実施例１の分解図であり、本体１００の互いに直交関係にある２つの中心線に沿って各要素を配置して示している。
【００３３】
ユニット筐体である本体シェル１２１のパネル１１０側の中心線に沿って示されているのは、パネル１１０、出力端子モジュールのケース１２２である。ケース１２２には、中心導体１２３、回路基板１２７、受け部材１２８および直流カット用コンデンサ１２９が組み込まれる。
【００３４】
回路基板１２７には、これら３つの要素がケース１２２への組み込み前に半田付けにより組み付けられて一体化され、ケース１２２に組み込まれる。これにより、出力端子モジュールが形成される。このモジュールは、エルボ２０１の出力端子収納部に嵌入されて固定される。
【００３５】
また、本体シェル１２１のエルボ２０１側の中心線に沿って示されているのは、図示右側から回動接栓筐体としてのエルボ型シェル２０１、芯線モジュールの芯線保持部材２２０、芯線２１０、割型ワッシャとしての半割ワッシャ２０６および緩衝部材である波型ワッシャ２０７であり、またエルボ型シェル２０１の下方には、回動端子モジュールのケース２０４およびケース２０４に組み込まれる中心導体２０５が示されている。
【００３６】
ケース２０４は、中心導体２０５が組み込まれて入力端子（回動端子）側モジュールを構成する。この入力端子側モジュールは、エルボ型シェル２０１内に挿入されて固定される。さらに、芯線２１０は、芯線保持部材２２０に差し込まれることにより芯線モジュールを形成する。
【００３７】
このように構成された出力端子用および入力端子用の２つのモジュールを本体シェル１２１、エルボ型シェル２０１に組み込み、次いで芯線モジュールを、緩衝部材としての波型ワッシャ２０７とともに本体シェル１２１、エルボ型シェル２０１間に組み込み、断面Ｌ字型の半割ワッシャ２０６をエルボ型シェル２０１のフランジ部に図示右側から当接して、半割ワッシャ２０６の外周縁をかしめ部１２１ａのかしめによって抑え込むことにより、直列ユニットが組み上がる。組み上がれば、半田付け等の更なる接続作業は要しない。
【００３８】
ここで、割型ワッシャは、エルボ型シェル２０１のフランジ部の反本体シェル側に当接されて、本体シェル１２１のかしめ部１２１ａによりかしめることができる形状であればよく、図示した半割ワッシャではなく、例えば一部に切れ目の入ったリング状のワッシャでもよい。リング状のワッシャは、エルボ型シェル２０１の図示下端から差し込んでフランジ部に当接することになる。
【００３９】
図７および図８は、本発明に用いるモジュールの代表例としての、出力端子用モジュールを構成する各要素の構成を示したものである。まず図７(a)，(b)，(c)は、縦割り型のケース１２２に中心導体１２３、回路基板１２７を組み込む構造について示しており、また図８(a)，(b)は、中心導体１２３および回路基板１２７のみを示している。
【００４０】
ケース１２２は、全体形状が略円筒状であって長手方向に２つ割りの開閉可能な構造であり、開いた状態で中心位置に中心導体１２３および回路基板１２７が嵌入され、閉じることにより円筒状のモジュールとなる。
【００４１】
そして、ケース１２２に嵌入される中心導体１２３および回路基板１２７は、半田付けにより一体化され、図示右端は出力端子ＯＵＴとして同軸コネクタの受け入れ口となり、図示左端は芯線２１０との接続点となる。
【実施例２】
【００４２】
図９は、本発明の他の実施例を示す断面斜視図であり、エルボ型の立体的に回動する入力端子を有する直列ユニットとして構成している。
【００４３】
この実施例では、本体１００とエルボ２００とが球軸受部で結合されており、本体シェル１２１の結合部に、半割ワッシャ１２４、球軸受部材１２５および波型ワッシャ１２６が配されて、かしめ部１２１ａをかしめることにより半割ワッシャ１２４の外周を固定してシェル球形部２０１１を保持する。
【００４４】
また、かしめ部１２１ａをかしめることにより、本体シェル１２１とエルボ型シェル２０１とが一体化して球面軸受を形成する。そして、この球面軸受では、波型ワッシャ１２６の弾性復元力により、球受け部材１２５がシェル球形部２０１１に対し押圧されて接触圧を与えている。波型ワッシャ１２６によって接触圧を与え得るように、球受け部材１２５とワッシャ１２４との間には若干の隙間が設けられている。
【００４５】
そしてこの実施例では、パネル１１０の中心位置には、出力用端子１２０（ＯＵＴ）が配され、パネル１１０および出力用端子１２０（ＯＵＴ）は係止部材１３０により壁面取付枠材（図示せず）に固定されている。そして、出力用端子１２０（ＯＵＴ）は、半割ワッシャ１２４、球受け部材１２５等とシェル球形部２０１１等との協働による球面軸受により、エルボ２００の端部に設けられた入力端子ＩＮに連結されかつ電気的に接続されている。
【００４６】
このような構成により、本体１００とエルボ２００とは、球面軸受部による所定範囲での立体的な結合によって同軸状態を保ちつつ接続された状態が得られる。
【００４７】
そして、入力端子ＩＮ側のエルボ型シェル２０１の内部には、ケース２０４および中心導体２０５により構成された入力端子モジュールが収納され、出力端子ＯＵＴ側の本体シェル１２１内には、ケース１２２および中心導体１２３により構成される出力端子モジュールが収納されている。
【００４８】
これら各モジュール内の中心導体１２３と中心導体２０５とは、中継ぎ中心導体２０３と中心導体１２３の図示右端に設けられた受け部材１２８とにより接続されて、入力端子ＩＮから出力端子ＯＵＴに至る同軸線路を形成する。
【実施例３】
【００４９】
図１０は、振り首型の立体的に回動する入力端子を有する直列ユニットとして構成した、本発明の他の実施例を示す断面斜視図である。この図では、回動する入力端子を手前側にして示している。
【００５０】
ここで、図９に示した実施例２と異なるのは、実施例２における入力端子ＩＮ側導体と中継ぎ中心導体との摺動接触による接続ではなく、出力端子ＯＵＴ側の受け部材１２８と摺動接触する球形ヘッド２０３ａを、入力端子ＩＮ側の中心導体２０５が直接固定支持していることである。その他は、球面軸受けを用いている点を含めて実施例２と同様である。
【００５１】
そして、振り首２００Ａの振り首型シェル２０１Ａに同軸コネクタ要素としての入力端子側モジュールを組み込み、本体シェル１２１にも同軸コネクタ要素としての出力端子側モジュールを組み込んだ上で、本体シェル１２１に、波型ワッシャ１２６、球受け部材１２５および半割ワッシャ１２４とともに、振り首型シェル２０１Ａを組み合わせてから本体シェル１２１のかしめ部１２１ａをかしめる。これにより、本体シェル１２１と振り首型シェル２０１Ａとが一体化して球面軸受を構成する。
【００５２】
ここで、振り首型シェル２０１Ａにコネクタを取り付ける際の作業を考えると、回り止めを施しておく必要がある。そのために、振り首型シェル２０１Ａの突起２０１２、球受け部材１２５の溝（図示せず）および突条（図示せず）、本体シェル１２１の溝(図示せず)が設けられており、これらが係合することにより各構成要素は、首振り動作はするが軸周りの運動をしないように相互に拘束されている。
【符号の説明】
【００５３】
ＩＮ  入力端子、ＯＵＴ  出力用端子、
１１  パネル、１２  本体、１２ａ  本体シェル、１２ｂ  出力端子収納部、１２ｃ  端子要素、１２ｄ  回路基板、１２ｅ  蓋、２１  回動シェル、
２２  入力端子、２３  芯線保持部材、２４  芯線、２５  波型ワッシャ、
２６  抜け止め部材、
１０  化粧パネル、１００  本体、１１０  パネル、
１２１  本体シェル（ユニット筐体）、１２１ａ  かしめ部、１２２  絶縁体、１２３  中心導体、１２４  半割ワッシャ、１２５  球受け部材、
１２６  波型ワッシャ（緩衝部材）、１２７  回路基板、１２８  受け部材、
１３０  係止部材、
２００  エルボ、２０１  エルボ型シェル（回動接栓筐体）、
２０１１  シェル球形部、２０１２  突起、
２０１Ａ  振り首型シェル（回動接栓筐体）、２０２  スペーサ、
２０３  中継ぎ中心導体、２０４  絶縁体、２０５  中心導体、
２０５ａ，２０５ｂ  中心導体受け部、２０６  半割ワッシャ、
２０７  波型ワッシャ（緩衝部材）、２１０  芯線、２２０  芯線保持部材。
【図１】
2015099685.tif 000003
【図２】
2015099685.tif 000004
【図３】
2015099685.tif 000005
【図４】
2015099685.tif 000006
【図５】
2015099685.tif 000007
【図６】
2015099685.tif 000008
【図７】
2015099685.tif 000009
【図８】
2015099685.tif 000010
【図９】
2015099685.tif 000011
【図１０】
2015099685.tif 000012
【図１１】
2015099685.tif 000013